(57)【特許請求の範囲】
【請求項１】
円錐形であるシャーシと、
前記シャーシ内に配置され、開口部を有する前部および円筒形を成す中心要素の付いた後部を有した円錐形状の振動板であるダイアフラムと、
前記シャーシと前記ダイアフラムとの間に延在し円錐形を成す連結部材であるサブシャーシと、
リング形状のリムにより形成され前記前部と前記サブシャーシの前部を伸縮自在に接続するエッジから成る第１のフレキシブルな接続要素と、
前記第１のフレキシブルな接続要素と同軸を成すリング形状のリムにより形成され前記サブシャーシの前部と前記シャーシを伸縮自在に接続するエッジから成る第２のフレキシブルな接続要素と、
前記中心要素に接続する第１のアクチュエータ部分と前記シャーシに接続し当該第１アクチュエータとの間にエアギャップを有する第２のアクチュエータ部分を備え前記ダイアフラムを前記中心要素の軸方向に沿って移動させる電磁アクチュエータと、
同心円状の波形のパターンを有するディスク形状を成し前記サブシャーシの後部と前記中心要素を結合し前記サブシャーシの中心を前記中心要素の中心に合わせる中心合わせ要素と、
を備えることを特徴とするダイナミックスピーカ。
【請求項２】
前記第１のフレキシブルな接続要素および前記第２のフレキシブルな接続要素は、それぞれ断面がオメガ形状の構造を有することを特徴とする請求項１に記載のダイナミックスピーカ。
【請求項３】
前記サブシャーシは、少なくともほとんど無孔の周囲面を有することを特徴とする請求項１または２のいずれかに記載のダイナミックスピーカ。
【請求項４】
前記ダイナミックスピーカは、リムにより形成され前記シャーシと前記サブシャーシの後部を伸縮自在に接続するエッジから成る第３のフレキシブルな接続要素を備えることを特徴とする請求項１〜３のいずれかに記載のダイナミックスピーカ。
【請求項５】
前記第３のフレキシブルな接続要素は、断面がオメガ形状のリムの形態であって前記第２のフレキシブルな接続要素に対して鏡像逆転に配置されていることを特徴とする請求項４に記載のダイナミックスピーカ。
【請求項６】
前記シャーシは、前記第３のフレキシブルな接続要素と前記電磁アクチュエータとの間に音響孔を有することを特徴とする請求項４または５に記載のダイナミックスピーカ。
【請求項７】
円錐形であるシャーシと、
前記シャーシ内に配置され、開口部を有する前部および円筒形を成す中心要素の付いた後部を有した円錐形状の振動板であるダイアフラムと、
前記シャーシと前記ダイアフラムとの間に延在し円錐形を成し連結部材であるサブシャーシと、
リング形状のリムにより形成され前記前部と前記サブシャーシの前部を伸縮自在に接続するエッジから成る第１のフレキシブルな接続要素と、
前記第１のフレキシブルな接続要素と同軸を成すリング形状のリムにより形成され前記サブシャーシの前部と前記シャーシを伸縮自在に接続するエッジから成る第２のフレキシブルな接続要素と、
前記中心要素に接続する第１のアクチュエータ部分と前記シャーシに接続し当該第１アクチュエータとの間にエアギャップを有する第２のアクチュエータ部分を備え前記ダイアフラムを前記中心要素の軸方向に沿って移動させる電磁アクチュエータと、
リムにより形成され前記シャーシと前記サブシャーシの後部を伸縮自在に接続するエッジから成る第３のフレキシブルな接続要素と、を備え、
前記シャーシは、前記第２のフレキシブルな接続要素と前記第３のフレキシブルな接続要素との間に音響孔を有することを特徴とするダイナミックスピーカ。
【請求項８】
シャーシと、
前記シャーシ内に配置され、円筒形を成す中心要素の付いた前部および後部を有し当該後部から当該前部に向けて先細となる振動板であるダイアフラムと、
前記シャーシと前記ダイアフラムとの間に延在し連結部材であるサブシャーシと、
リング形状のリムにより形成され前記前部と前記サブシャーシの前部を伸縮自在に接続するエッジから成る第１のフレキシブルな接続要素と、
前記第１のフレキシブルな接続要素と同軸を成すリング形状のリムにより形成され前記サブシャーシの前部と前記シャーシを伸縮自在に接続するエッジから成る第２のフレキシブルな接続要素と、
前記中心要素に接続する第１のアクチュエータ部分と前記シャーシに接続し当該第１アクチュエータとの間にエアギャップを有する第２のアクチュエータ部分を備え前記ダイアフラムを前記中心要素の軸方向に沿って移動させる電磁アクチュエータと、
同心円状の波形のパターンを有するディスク形状を成し前記サブシャーシの後部と前記中心要素を結合し前記サブシャーシの中心を前記中心要素の中心に合わせる中心合わせ要素と、
リムにより形成され前記シャーシと前記サブシャーシの後部を伸縮自在に接続するエッジから成る第３のフレキシブルな接続要素と、
を備えることを特徴とするダイナミックスピーカ。
【請求項９】
請求項４〜６のいずれかに記載のダイナミックスピーカを備えるスピーカシステムにおいて、
前記スピーカシステムは、前記ダイナミックスピーカを締結する縁部部分を有する第１の開口部と、受動型の放射器であるパッシブ放射器を締結する縁部部分を有する第２の開口部を有するハウジングを備えるバスフレックススピーカシステムであって、
前記パッシブ放射器は、
音響孔を有するシャーシと、
前記シャーシ内に配置され、円筒状の中心部分の前部にディスク形状の部分を有し当該円筒状の中心部分の後部に円錐形の部分を有し予め定めた質量を有する質量要素と、
前記シャーシと前記質量要素との間に延在し連結部材であるサブシャーシと、
断面がオメガ形状であるリング形状のリムにより形成され前記質量要素の前部と前記サブシャーシの前部を伸縮自在に接続するエッジから成る接続要素と、当該接続要素に対して鏡像逆転配置として配置された断面がオメガ形状であるリング形状のリムにより形成され前記質量要素の後部と前記サブシャーシの後部を伸縮自在に接続するエッジから成る接続要素とを有する第１のフレキシブルな接続要素と、
断面がオメガ形状であるリング形状のリムにより形成され前記サブシャーシの前部と前記シャーシを伸縮自在に接続するエッジから成る接続要素と、当該接続要素に対して鏡像逆転配置として配置された断面がオメガ形状であるリング形状のリムにより形成され前記サブシャーシの後部と前記シャーシを伸縮自在に接続するエッジから成る接続要素とを有する第２のフレキシブルな接続要素とを備えることを特徴とするスピーカシステム。
【請求項１０】
前記ダイナミックスピーカと前記パッシブ放射器は、互いに対抗する位置に配置されることを特徴とする請求項９に記載のスピーカシステム。
【発明の詳細な説明】
本発明は、ダイナミックスピーカに関するものであり、このダイナミックスピーカは、シャーシと、前記シャーシ内に配置され、前部および後部を有するダイアフラムと、前記シャーシから前記ダイアフラムを可動的に懸架するサスペンション（懸架）手段と、第１アクチュエータ部及び第２アクチュエータ部を具えた電磁アクチュエータとを具えて、前記第１アクチュエータ部は前記ダイアフラムの前記後部に接続されて、前記第２アクチュエータ部は、前記シャーシに接続されて、エアギャップを介して前記第１のアクチュエータ部と協働する。
この種のスピーカは、ドイツ国特許ＤＥ−Ｕ７５０２５６８号によって知られている。この既知のスピーカは、シャーシと、円錐形ダイアフラム（振動板）とを具えて、この円錐形ダイアフラムは、その開口した前部に、シャーシに固着したΩ（オメガ）形の取り付けリムを有する。このダイアフラムは、この前部とは反対側にある、円錐形の中心の後部で、波形で高コンプライアンスの中心合わせリングを介してシャーシに固着されている。この既知のスピーカはさらに、軸方向、すなわち前記円錐形ダイアフラムの中心軸の方向に、前記ダイアフラムを駆動する電磁駆動部を具えている。この駆動部は、磁石（マグネット）システム及びコイルから成り、このマグネットシステムは、シャーシに固着されてエアギャプを有し、このコイルは、前記円錐形の中心の後部に固着されて前記エアギャプ中に伸びる。前記ダイアフラムに用いるサスペンション手段、特に前記Ω形のリムは、この取り付けリムの伸長性に制限があるために、シャーシに対する軸方向の行程は、限られた程度しかとれない。このことの結果として、特に横断方向に見れば、満足な低音応答を達成するためには、比較的大きなダイアフラムが必要になる。
本発明の目的は、冒頭部分に規定した種類のスピーカを改善して、小型の寸法と満足な低音応答とを兼ね備えたスピーカを得ることにある。
本発明によるダイナミックスピーカは、前記シャーシと前記ダイアフラムとの間に伸びるサブシャーシの存在を特徴とし、前記サスペンション手段が前記サブシャーシを、前記ダイアフラムに伸縮自在に接続し、かつ前記シャーシに伸縮自在に接続する。サブシャーシを使用することにより、ダイアフラムのシャーシに対する軸方向の行程は、サブシャーシに対するダイアフラムの軸方向の第１行程、及びシャーシに対するサブシャーシの軸方向の第２行程によって決まる。なお完全を期せば、この軸方向の行程は、ダイアフラムの中心軸方向の行程であり、この中心軸は、ダイアフラムの前部から後部に伸びる軸である。また、このダイアフラムの軸方向の最大行程は、ダイアフラムのストロークまたは振幅とも称する。
本発明によるスピーカは、シャーシおよびダイアフラムに対して軸方向に可動のサブシャーシを具えているので、課された機械的および音響的な要求に十分に応じるサスペンション手段を使用することによって、音の再生において歪みを生じさせることなしに、ダイアフラムの大きな行程を得ることができる。このサブシャーシは、明示的に前記サスペンション手段を手助けして、その結果、圧力変動および／または寄生共振によって生じる不所望な振動に対抗する。
前記ダイアフラムのシャーシに対する軸方向の行程が大きいことによって、本発明によるスピーカは、横方向の寸法を限定することができ、従って小型の構成にすることができる。使用するダイアフラムは一般に、少なくともほぼ円錐形であり、開口した前部を有する。円形断面の円錐形ダイアフラムの場合には、本発明による方策によれば、スピーカの高音圧を発生する能力の割には、小径のスピーカができる。
本発明によるスピーカは、空間を大きく取れない用途に特に適しており、これは例えば、車両、テレビジョンセット、あるいはモニタ内のように、装着空間が限られているが、比較的高いパワーを扱う能力が所望されるところである。本発明によるスピーカの好適例は、前記サスペンション手段が、第１のフレキシブル（可撓性）接続要素及び第２のフレキシブル接続要素を具えて、前記第１の接続要素は、前記ダイアフラムを前記サブシャーシに接続し、前記第２の接続要素は、前記サブシャーシを前記シャーシに接続することを特徴とする。このサスペンション手段は、前記ダイアフラムの前部付近に配置することが好ましい。課される機械的および音響的な要求に十分に応じるサスペンション手段を使用すれば、これによっては、音の再生において歪みを生じさせることなしに、ダイアフラムの大きな行程を得ることができる。
本発明によるスピーカは、リング（環）形の接続要素を具えていることが好ましい。こうした接続要素は、互いに同軸になるように配置することが好ましい。これらの接続要素の各々が、波形あるいは波状の構造を有することが好ましい。こうした構造自体は既知であり、既知のスピーカでは、ダイアフラムをシャーシに固着する装着リムとして使用され、このリムは、１つ以上の同心の波形、あるいはΩ形または正弦波状の波形構造を有し得る。既知のスピーカでは、装着リムを伸長可能な度合いがダイアフラムの行程を決める。こうしたリムの形状および大きさは、狭い限度内にあり、この限度はとりわけ、動作中に優勢な圧力変動に対して要求される耐性、及びダイアフラムの行程中にスムーズ（円滑）に変形する能力によって与えられ、スムーズな変形とはすなわち、例えば崩壊または張出し（バルジング）のような問題となる症状を伴わないことである。コンプライアンスが高すぎ、かつ／あるいはスムーズな変形ができない装着リムは、音の再生において、歪み、特に２次およびより高次の高調波歪みを生じさせて、その結果、不所望なノイズを発生する。従って、前記ＤＥ−Ｕ７５０２５６８号より既知のスピーカにおいて、装着リムを軸方向および／または半径方向に拡大しても、満足な結果が生じない。実際に、ダイアフラムの行程の増加が得られても、これには音の再生の劣化が伴う、というのは、装着リムの機械的な抵抗が減少して、リムに不所望な共振が生じるからである。
本発明によるスピーカでは、各接続要素を、互いに同軸となるように配置することが好ましい。そして、第１の接続要素と第２の接続要素とは、例えば共平面（コプレーナ）にする。
本発明によるスピーカに使用する接続要素は、前記ダイアフラムが主にその並進運動の軸に沿って移動する行程を可能にして、他方向の移動には対抗して、この並進運動の軸は前記ダイアフラムの中心軸と一致する。換言すれば、これらの接続要素は軸方向に見れば比較的高コンプライアンスであり、他方向は比較的に堅く、このことは良好に規定されたダイアフラムの行程を保証する。
本発明によるスピーカの好適例は、前記サスペンション手段を、前記ダイアフラムの前部付近に配置して、フレキシブルな中心合わせ要素を前記後部付近に配置して、前記中心合わせ要素が前記サブシャーシを前記後部に接続することを特徴とする。前記中心合わせ要素は、リング（環）形または円形であることが好ましく、そして前記中心合わせ要素は、前記ダイアフラムと前記サブシャーシとを、互いの軸方向に移動可能にして、他の相対的な移動に対抗することが好ましい。これにより、前記ダイアフラムが前記サブシャーシに対して傾いて移動することを防止することができる。
本発明によるスピーカの好適例は、前記サブシャーシが、少なくともほとんど無孔の周囲面を有することを特徴とする。周囲が無孔のサブシャーシは、基本的に無孔のダイアフラム及び中心合わせ要素と共に空気室（エアチャンバ）を形成して、この空気室は、ダイアフラムとサブシャーシとが互いに逆位相であるということの結果として、寄生共振を減衰させる。ダイアフラムとサブシャーシとの相対変位が小さいことの結果として、この空気室の体積変化が小さいことにより、前記中心合わせ要素及び／または前記サブシャーシは、空気の通過を制限することが好ましい。この目的のために、前記中心合わせ要素を例えば織地製にして、この織地は所定の程度だけ空気透過性にして、所定の程度だけ空気を浸透させておくことができる。
ダイアフラムが円錐形であれば、所望のダンピング（減衰）を得るために、前記サブシャーシの形状もこれに合わせて円錐形にすることが好ましい。
本発明によるスピーカの好適例は、前記サブシャーシを、少なくともほぼ前記ダイアフラムの後部の位置で前記シャーシに接続するフレキシブルな接続部材が存在することを特徴とする。このフレキシブルな接続部材は、前記サブシャーシが前記シャーシに対して、その中心軸にほぼ沿った方向に移動することを可能にして、他方向の移動に対抗して、前記サブシャーシを直線的にガイド（案内）する。前記接続部材は、第２の接続要素と同じ特性、特に同じ機械的特性を有することが好ましい。実用的な好適例では、前記接続部材及び第２の接続要素の各々を、Ω形リムとして構成することができる。これら２つの対面するリムの波形の波頭を、互いに向かい合わせにするか、あるいは互いに離反させて、対称的な懸架を行うことが好ましい。
本発明によるスピーカの好適例は、前記接続部材が波形または波状の構造を有することを特徴とする。
本発明によるスピーカの好適例は、前記中心合わせ要素と前記接続部材との間、及び前記中心合わせ要素と前記アクチュエータとの間に広がる空間が、前記シャーシの音響孔を有する部分によって包囲されることを特徴とする。この部分に１つ以上の音響孔が存在することは、ダイアフラムと、スピーカと協働すべく適応させたエンクロージャとの間の、適切な音響的連絡を保証する。
本発明によるスピーカの好適例は、前記サブシャーシが、開口を有する周囲面を有して、前記スピーカに、前記サブシャーシを、少なくともほぼ前記ダイアフラムの後部の位置で前記シャーシに接続するフレキシブルな接続部材を設けて、前記スピーカに、前記中心合わせ要素、前記接続要素、前記アクチュエータ、及び少なくとも１つの音響孔を有するシャーシ部分によって包囲される空間を設けたことを特徴とする。前記中心合わせ要素、前記接続要素、前記アクチュエータ、及び前記シャーシの音響孔を有する部分によって包囲される空間内の音量変化は、この音響孔における流路抵抗によって減衰し切られる。この音響孔には、織物のような抵抗要素を付加することが好ましい。
本発明はさらに、シャーシと、前記シャーシ内に配置され、前部及び後部を有するダイアフラムと、前記ダイアフラムの前記後部付近に配置され、前記ダイアフラムを前記シャーシからフレキシブル（可撓的）に懸架するサスペンション手段と、第１アクチュエータ部及び第２アクチュエータ部を具えた電磁アクチュエータとを具えたダイナミックスピーカであって、前記第１アクチュエータ部が前記ダイアフラムの前記後部に接続され、前記第２アクチュエータ部が、前記シャーシに接続され、エアギャップを介して前記第１アクチュエータ部と協働するダイナミックスピーカに関するものであり、このダイナミックスピーカは、前記シャーシと前記ダイアフラムとの間に広がるサブシャーシが存在し、前記サスペンション手段が、前記ダイアフラムを前記サブシャーシに接続する第１のフレキシブルな接続要素と、前記サブシャーシを前記シャーシに接続する第２のフレキシブルな接続要素とを具えていることを特徴とする。このスピーカは、以上の説明に記載したのと同様の好適な特性を有して、これら種々の好適例に規定したのと同様の特徴を持つことができる。
本発明はさらに、本発明によるダイナミックスピーカ、及びこのダイナミックスピーカ用のエンクロージャを具えたスピーカシステムに関するものである。所望すれば、このスピーカシステムは、パッシブ・ラジエータ、あるいはバスレフレックス管を有する系のような他の高次レフレックス（反射）系を設けることができる。
本発明はさらに、本発明によるスピーカシステムを含む、音響及び／または映像情報を提供する装置に関するものである。こうした装置は、例えば電子ディスプレイ装置である。
以下、本発明の実施例について、図面を参照して詳細に説明する。
図１に示される本発明によるスピーカは、シャーシ１と、サブシャーシ３と、ダイアフラム５と、電磁アクチュエータ７とを含む。本実例では、シャーシ１は、ほぼ円錐形である。サブシャーシ３−これは、本例では円錐形状を有する−は、シャーシ１と、本例では円錐形状を有するところのダイアフラム５との間に、延在する。この例において、ダストキャップ６は、ダイアフラム６にすえられている。サブシャーシ３は、シャーシ１の音響孔（sound apertur）１ａと向かい合って配置される周面を有し、ここに、該表面は無孔であるか、もしくは開口部をもちうる。ダイアフラム５−これは、少なくとも、部分的に、サブシャーシ３内に配置される−は、第１の部分、すなわち開き口９をもつ前部５ａと、第２の部分、すなわち円筒状の中心要素（centralelement）１１の付いた後部５ｂとを、有する。この要素１１は、本例においてはコイル７ａ１により形成される部分であるところの、アクチュエータ７の第１のアクチュエータ部分７ａを、備えている。このコイル７ａ１は、電気導体８を介して、シャーシ１に固着されたコンタクト端子１０へ電気的に接続されている。アクチュエータ７は、さらに、第２のアクチュエータ部７ｂを含み、ここに、これは、本例においては、シャーシ１のシャーシ部分１ｂに固着された、リング形状のマグネット７ｂ１とヨーク部７ｂ２とヨーク部７ｂ３とを含む。このヨーク部７ｂ２とヨーク部７ｂ３との間に、エアギャップ７ｃが形成され、この中にコイル７ａ１が延在する。アクチュエータが付勢されるとき、コイル７ａ１と、したがってダイアフラム５とは、２重矢印ｘで表される、一方または他方の軸方向に、ダイアフラム軸５ｃに沿って、軸方向運動をなす。
本発明に従うこのスピーカにおいては、ダイアフラム５はサブシャーシ３に吊るされ、このサブシャーシ３はシャーシ１に吊るされる。この目的のため、このスピーカは、ダイアフラム５の前部５ａをサブシャーシ３に結合する第１のフレキシブルな接続要素（connecting element）１３と、前部５ａの位置で、サブシャーシ３をシャーシ１に結合する第２のフレキシブルな接続要素１５とが、設けられている。本例において、接続要素１３および１５は、断面オメガ形状のリング形状のリムによって、それぞれ、形成される。この各接続要素１３および１５は、それぞれ、ダイアフラム５とサブシャーシ３に、およびサブシャーシ３とシャーシ１に、粘着性の接合によって、固着されることができる。望ましくは、第１のフレキシブルな接続要素１３および第２のフレキシブルな接続要素１５−これらは互いに同軸である−は、一つのフレキシブルな要素として構成される。
本発明によるスピーカは、さらに、フレキシブルな中心合わせ要素（centering element）１７を含み、本例においては、これは、同心の波形（corrugation）のパターンを有し、かつ、例えば、液などをしみ込ませた織物の生地（impregnated textile fabric）でつくられ、中心へくるように合わせるディスク（centering disc）の形式のものである。ここに、該要素は、サブシャーシ３を後部５ｂに、好ましくは、中心要素１１のそれに、結合する。この中心合わせ要素１７と接続要素１３および１５は、矢印ｘにより指示される軸方向に、比較的に従順であるが、しかし、好ましくは、他の方向には比較的に堅め（atiff）のサスペンション手段を形成し、その結果、サブシャーシ３のみならずコイル７ａ１の付いたダイアフラム５は、シャーシ１に関し、良好な規定された軸方向運動を行うことができる。
サブシャーシとダイアフラムのみならず、サブシャーシとシャーシの作動において、伸縮自在なサスペンション（懸架）装置を形成する。
図１においては、ダイアフラム５は、静止位置が示されている。最大の往復運動の場合においては、ダイアフラムは、それぞれ、示されたＡ１およびＡ２の位置の一つの位置にある。往復工程あるいは振幅は、Ａにより示されている。
図２、３および４に示される実施例は、すでに述べた実施例に多くで似ている。この理由のため、図１〜４においては、対応する部分は、同一の参照符号を有する。
図２に示されるスピーカは、音響孔１ａをもつシャーシ１と、このシャーシ１内に配置された円錐形のダイアフラム５とを含み、ここに、該ダイアフラムは、開口（open）した前部５ａと、この前部に対向して配置された後部５ｂを有する。このスピーカは、さらに、この後部５ｂに結合される第１のアクチュエータ部７ａとシャーシ１に結合される第２のアクチュエータ部７ｂとを有する電磁アクチュエータ７を含み、ここに、この２つのアクチュエータ部７ａおよび７ｂは、作動の間、エアギャップ７ｃを介して、互いに電磁的に働き合う。このスピーカは、さらに、シャーシ１とダイアフラム５との間に延在するサブシャーシ３と、ダイアフラム５をサブシャーシ３に結合する第１のフレキシブルな接続要素１３と、前部５ａの位置で、サブシャーシ３を、シャーシ１に結合する第２のフレキシブルな接続要素１５とを含む。後部５ｂの位置では、フレキシブルな中心合わせ要素１７が、サブシャーシ３にダイアフラム５を、本例においては、このダイアフラム５に固着した中心要素１１を介して結合し、および、フレキシブルな接続要素２１が、シャーシ１に、サブシャーシ３を結合する。この例では、この接続要素２１、および接続要素１３および１５は、それぞれ、フレキシブルな材質、特にポリウレタンによるオメガ形状のリムの形態をとり、この接続要素２１とその対面する接続要素１５とが、互いに関して、鏡像逆転配置（mirror-inverted position）のように、配置される。この中心合わせ要素１７、接続要素２１、および接続要素１３および１５は、ダイアフラム５が、ほとんど、その中心軸５ｃ、すなわち方向ｘに沿って、もっぱら移動可能であるように、そのダイアフラム５のサスペンションを形成する。
アクチュエータ７の第１のアクチュエータ部７ａは、この要素１１に固着され、かつ電気導体８を介して端子１０に接続された、コイル７ａ１を含み、第２のアクチュエータ部７ｂは、永久マグネット７ｂ１とソフト・マグネティック（soft-magnetic）ヨーク部７ｂ２および７ｂ３とを含む。この第２のアクチュエータ部７ｂは、シャーシ１のベース１ｂに固着されている。もし、望むならば、第１のアクチュエータ部７ａはコイルに代えてマグネットを含み得、および第２のアクチュエータ部７ｂはマグネットに代えてコイルを含み得る。このアクチュエータのマグネットは、随意に、コイルによって置き換え得る。
一方では、中心合わせ要素１７と接続要素２１、他方では、アクチュエータ７の間で形成される空間２３は、シャーシ部分１ｃの一つまたはそれ以上の音響孔２５を介して、周囲の空間と連絡する。
図３に示される本発明によるスピーカは、シャーシ１と、サブシャーシ３と、ダイアフラム５と、電磁アクチュエータ７とを含む。このシャーシ１は、ベースを形成するシャーシ部分１ｂを有し、および音響孔１および２５を有する。このシャーシ部分１ｂは、アクチュエータ７の第２のアクチュエータ部７ｂを形成するマグネットシステム（magnet system）を備えている。このアクチュエータ７の第１のアクチュエータ部７ａを形成する駆動コイルは、ダイアフラム５の後部５ｂの円筒状の要素１１に固着される。コイル７ａが付勢されるとき、このコイル７ａと、したがってダイアフラム５トは、矢印ｘによって示される軸方向に、直動性の運動を行う。このダイアフラム５は、後部５ｂに対向した、開口前部５ａを有する。サブシャーシ３は、ダイアフラム５とシャーシ１との間に介在させ、ダイアフラム５が、おもに軸方向ｘにフレキシブルであるところの第１の接続要素１３によってサブシャーシ３に固着され、そして、サブシャーシ３が、第２のフレキシブルな接続要素１５とフレキシブルな接続部材２１とによって、シャーシ１に固着される。
図４に示される本発明によるスピーカは、ベースを形成するシャーシ部分１ｂと周壁を形成するシャーシ部分１ｃとを有するシャーシ１を含み、音響孔１ａおよび２５を有する。このスピーカは、さらに、前部を形成する第１の部分５ａと後部を形成する第２の部分５ｂとを有するダイアフラム５を含み、このダイアフラム５は、その第１の部分５ａから第２の部分５ｂへ向けて先細になっている。この前部５ａは開口され、中心のスリーブ形状（sleeve-shaped）または円筒状の部分１１が設けられている。このスピーカは、さらに、サブシャーシ３を含み、ここに、これはダイアフラム５とシャーシ１との間に延在する。ダイアフラムの前部５ａ近くで、このダイアフラム５は、第１のフレキシブルな接続要素１３によってサブシャーシ３から吊るされており、その前部５ａの位置で、そこのサブシャーシ３が、第２のフレキシブルな接続要素１５によってシャーシ１から吊るされている。さらに、その後部５ｂの位置で、このサブシャーシ３は、フレキシブルなサスペンション部材２１を介してシャーシ１に固着されている。フレキシブルな中心合わせ要素１７は、サブシャーシ３と後部５ｂとの間に延在する。このサブシャーシ３、要素１３、１４および１５、および部材２１の組み合わせは、方向ｘでのシャーシ１に関するこのダイアフラム５の大きな往復運動を許す。電磁アクチュエータ７は、このダイアフラム５を駆動するために設けられており、後部５ｂの中心要素１１への結合を通じて、ダイアフラム５に接続される第１のアクチュエータ部７ａを有し、および、シャーシ１のベース部１ｂへの結合を通じて、シャーシ１に接続される第２のアクチュエータ部７ｂを有する。この第１のアクチュエータ部７ａは、コイル７ａ１を含み、ここに、該コイルは第２のアクチュエータ部７ｂのマグネティックヨークのエアギャップ７ｃに延在し、ここに、該ヨークはソフト・マグネティックヨーク部７ｂ２および７ｂ３を含む。この第２のアクチュエータ部７ｂは、さらに、リング形状の永久マグネット７ｂ１を含む。ダイアフラム５の後部５ｂは、ほこりに対しシールをする、ダストキャプ６が設けられる。本例においては、このスピーカは、さらに、保護用のグリル１４を含む。
図５に示される本発明によるシステム−本例においては、該システムは映像情報を提供するための電子ディスプレイ装置２００に使用される−は、ハウジングもしくはエンクロージャ１００を含み、ここに、これは、本発明に従うスピーカ−本例にあっては図２に示した実施例に係るもの−を、収容する。このハウジング１００は、そのスピーカのシャーシ１がそれをとおして伸びるところの、開口部１０２を有し、ここに、該シャーシ１は、この開口部１０２の周囲で、そのハウジング１００の縁部部分１１０ａにしっかり締結される。このスピーカのこれ以上の説明は、図２に関するところの、本明細書のそれらの部分で言及されている。
図５に示されるシステムは、例として、バスレフレックス（bass-reflex）スピーカシステムとして構成され、パッシブ形（受動形）の放射器（passive radiator）を含む。この目的のため、ハウジングは、さらに、開口部１０６を有し、パッシブ放射器１０４のシャーシ１０１がこれをとおして外へ伸びる。このシャーシ１０１は、この開口部１０６の周囲で、ハウジング１００の縁部部分１００ｂにしっかり締結される。このパッシブ放射器１０４は、さらに、サブシャーシ１０３とマス（質量）要素（mass-element）１０５とを含む。シャーシ１０１は、本例においては、音響孔１０１ａを有し、そのサブシャーシ１０３は、本例においては、開口部をもつ、もしくは開口部のない、改良された固体（solid of revolution）をもって、形成される。マス要素１０５は、本例においては、板形状もしくはディスク形状の部分１０７と、円筒状の中心部分１０９と、円錐状の部分１１１とを含む。この中心部分１０９は、所望のヘルムホルツ共鳴（Helmholtz resonance）のシステムで調整されたところのチューニング質量（tuning mass）１１３を持つ。前部１０５ａおよび後部１０５ｂが、このマス要素１０５に割り当てられることができる。パッシブ放射器１０４は、−これは、出願番号９６２０１５１９．４（ＰＨＮ１５．８４０；これは、出願人による参照符号）を有する未公開の特許出願において、より詳細に開示されているところであるが−さらに、このマス要素をフレキシブルにサブシャーシ１０３に結合する第１のフレキシブルな接続要素１１５と、このサブシャーシ１０３をフレキシブルにシャーシ１０１に結合する第２のフレキシブルな接続要素１１７とを含む。この第１の接続要素１１５は、マス要素１０５の前部１０５ａおよび後部１０５ｂの双方を、サブシャーシ１０３に接続し、この第２の接続要素１１７は、このサブシャーシ１０３を、
その前部１０５ａの位置および後部１０５ｂの位置の双方で、シャーシ１０１に、接続する。この例においては、各接続要素は、断面オメガ形状でリング形状のリムの形態をとり、その第２の接続要素１１７のみならず、その第１の接続要素１１５も、互いに関して、鏡像逆転配置のように配置される。本例においては、それらリムは、ポリウレタンからつくられる。もっとも、それらは、選択的に、ゴムのような、他の適した材料からつくられるものとし得る。このスピーカによって生成される、圧力変化への影響力のもと、マス要素１０５は、その中心軸１０５ｃに沿った軸運動ｘ′を遂行し、その振幅は、サブシャーシ１０３に対するマス要素１０５の最大の往復運動と、シャーシ１０１に対するこのサブシャーシ１０３の最大の往復運動との和になる。示されたパッシブ放射器に代えて、他のタイプのパッシブ放射器あるいはバスレフレックス・パイプ（bass-reflex pipe）が、使用され得る。
本発明はここに記述された各実施例に限定されるものではないことに、注目されるべきである。例えば、オメガ形状の接続要素および／または部材に代えて、正弦曲線状の、もしくは他の適した形状の接続要素あるいは部材が、使用され得る。さらに、本発明に従うシステムにおけるスピーカおよびパッシブ放射器は、互いに、対向するのに代えて、並んで配置され得る。
【図面の簡単な説明】
図１は、本発明によるスピーカの第１の実施例を示す縦断面図である。
図２は、本発明によるスピーカの第２の実施例を示す縦断面図である。
図３は、本発明によるスピーカの第３の実施例を示す縦断面図である。
図４は、本発明によるスピーカの第４の実施例を示す縦断面図である。
図５は、本発明によるシステムの実施例を示す縦断面図である。
【図１】
0004233061.tif 000002
【図２】
0004233061.tif 000003
【図３】
0004233061.tif 000004
【図４】
0004233061.tif 000005
【図５】
0004233061.tif 000006